(57)【要約】【課題】接着部が鏡筒外周に露出しない箇所に設けられていてもレンズ保持部材のベース部材に対する接着による固定を容易とし、接着剤の漏出も低減する。【解決手段】レンズ鏡筒２００は、ベース部材５０１と、レンズＬ３ｂを保持してベース部材に接着により固定されるレンズ保持部材７０１とを有する。ベース部材およびレンズ保持部材のうち一方は光軸方向に貫通する貫通穴部５０１２ａを有し、他方は貫通穴部に光軸方向における一方の側から挿入される凸部７０１３を有する。貫通穴部の上記一方の側における凸部の周囲の開口を塞ぐように配置された閉塞部材５０４を有する。貫通穴部内に、凸部と閉塞部材とに接する接着剤１０００が配置される。【選択図】図１４
2018097228.tif 000002
【特許請求の範囲】
【請求項１】
ベース部材と、
レンズを保持し、前記ベース部材に接着により固定されるレンズ保持部材とを有し、
前記ベース部材および前記レンズ保持部材のうち一方は光軸方向に貫通する貫通穴部を有し、他方は前記貫通穴部に前記光軸方向における一方の側から挿入される凸部を有し、
前記貫通穴部の前記一方の側における前記凸部の周囲の開口を塞ぐように配置された閉塞部材を有し、
前記貫通穴部内に、前記凸部と前記閉塞部材とに接する接着剤が配置されていることを特徴とするレンズ鏡筒。
【請求項２】
前記開口に沿う方向において、前記閉塞部材の外形寸法が前記貫通穴部の内形寸法よりも小さいことを特徴とする請求項１に記載のレンズ鏡筒。
【請求項３】
前記閉塞部材は、前記凸部が挿入される穴部を有し、
前記開口に沿う方向において、前記穴部の内形寸法が前記凸部の外形寸法よりも大きいことを特徴とする請求項１または２に記載の光学ユニット。
【請求項４】
前記閉塞部材は、金属により形成されていることを特徴とする請求項１から３のいずれか一項に記載のレンズ鏡筒。
【請求項５】
前記接着剤は、光硬化性接着剤であり、
前記閉塞部材は、透光性を有することを特徴とする請求項１から３のいずれか一項に記載のレンズ鏡筒。
【請求項６】
前記ベース部材に対して前記レンズ保持部材の位置調整を行うための調整機構を有し、
前記レンズ保持部材は、前記位置調整が完了した状態で前記ベース部材に対して接着により固定されることを特徴とする請求項１から５のいずれか一項に記載のレンズ鏡筒。
【請求項７】
前記レンズ保持部材は、
前記レンズを保持して前記レンズ保持部材に対して前記光軸方向とは異なる方向にシフト可能なシフト部材を保持することを特徴とする請求項１から６のいずれか一項に記載のレンズ鏡筒。
【請求項８】
請求項１から７のいずれか一項に記載のレンズ鏡筒と、
前記レンズ鏡筒からの光を受光して撮像を行う撮像素子とを備えたことを特徴とする光学機器。
【発明の詳細な説明】
【技術分野】
【０００１】
本発明は、デジタルカメラやビデオカメラ等の光学機器に用いられるレンズ鏡筒に関する。
【背景技術】
【０００２】
光学機器に用いられるレンズ鏡筒を組み立てる際には、レンズを保持するレンズ保持部材の傾きや偏心等の位置ずれを補正（すなわち位置調整）した後に接着剤を用いて該レンズ保持部材を固定する。
【０００３】
特許文献１には、レンズ保持部材を鏡筒本体（ベース部材）の内側に挿入した状態で鏡筒本体の径方向外側から偏心コロを回転操作することでレンズ保持部材の鏡筒本体に対する位置調整を行うことが可能なレンズ鏡筒が開示されている。このレンズ鏡筒では、鏡筒本体の外周壁に貫通穴部が設けられており、レンズ保持部材の外周部には該貫通穴部を通してピン部材が取り付けられる。レンズ保持部材は、貫通穴部を通してピン部材の周囲に充填された接着剤により鏡筒本体に固定される。
【先行技術文献】
【特許文献】
【０００４】
【特許文献１】特開２０１０−１９１０７０号公報
【発明の概要】
【発明が解決しようとする課題】
【０００５】
しかしながら、特許文献１にて開示されたレンズ鏡筒の組立て方法は、接着剤を充填する箇所（以下、接着部という）が組立工程において鏡筒本体の貫通穴部を通して鏡筒外周に露出する場合に採用し得る方法である。すなわち、接着部が鏡筒本体の貫通穴部を通して鏡筒外周に露出しない場合には、該接着部に接着剤を充填したり接着部に充填した光硬化性接着剤を硬化させたりすることが困難である。また、位置調整がなされる２つの部品間には位置調整用の隙間が必要であるが、接着部に充填した接着剤がその隙間から漏出するおそれもある。
【０００６】
本発明は、接着部が鏡筒外周に露出しない箇所に設けられていてもレンズ保持部材のベース部材に対する接着による固定を容易とし、さらには接着剤の漏出も低減できるようにしたレンズ鏡筒およびこれを備えた光学機器を提供する。
【課題を解決するための手段】
【０００７】
本発明の一側面としてのレンズ鏡筒は、ベース部材と、レンズを保持してベース部材に接着により固定されるレンズ保持部材とを有する。ベース部材およびレンズ保持部材のうち一方は光軸方向に貫通する貫通穴部を有し、他方は貫通穴部に光軸方向における一方の側から挿入される凸部を有する。貫通穴部の上記一方の側における凸部の周囲の開口を塞ぐように配置された閉塞部材を有する。そして、貫通穴部内に、凸部と閉塞部材とに接する接着剤が配置されていることを特徴とする。
【０００８】
なお、上記レンズ鏡筒を備えた光学機器も、本発明の他の一側面を構成する。
【発明の効果】
【０００９】
本発明によれば、接着部が鏡筒外周に露出しない箇所に設けられていてもレンズ保持部材のベース部材に対する接着による固定を容易とし、さらには接着剤の漏出も低減できるようにしたレンズ鏡筒およびこれを備えた光学機器を実現することができる。
【図面の簡単な説明】
【００１０】
【図１】本発明の実施例であるビデオカメラの外観図。
【図２】実施例のビデオカメラに用いられるレンズ鏡筒の斜視図、正面図および側面図。
【図３】図２（ｂ）中のＡ−Ａ線での断面図。
【図４】実施例における３群ユニットの斜視図。
【図５】実施例における３群ベースユニットの分解斜視図。
【図６】実施例における防振ユニットの斜視図。
【図７】防振ユニットのうち固定ユニットの分解斜視図。
【図８】固定ユニットの正面図および背面図。
【図９】防振ユニットのうち可動ユニットの分解斜視図および正面図。
【図１０】固定ユニットと可動ユニットの組み立てを示す図。
【図１１】実施例における３群ユニットの上面図およびＢ−Ｂ線での断面図。
【図１２】実施例におけるレンズ鏡筒（組立て途中）の正面図およびＣ−Ｃ線での断面図。
【図１３】図１２（ａ）中のＤ−Ｄ線での断面の一部（接着部）の拡大図。
【図１４】図１３に示した接着部を接着した状態を示す図。
【発明を実施するための形態】
【００１１】
以下、本発明の実施例について図面を参照しながら説明する。
【００１２】
［カメラの構成］
図１は、本発明の実施例である撮像装置（光学機器）としてのデジタルビデオカメラ（以下、単にカメラという）の構成を示している。以下の説明において、カメラのうち被写体側を前側または正面側といい、その反対側を後側、背面側または像面側という。また、カメラのうち前側から見て右側の面を右側面といい、前側から見て左側を左側面という。さらに、図１において上側の面をカメラの上面といい、その反対側の面を下面という。
【００１３】
カメラ本体１００の正面側にはダイアル操作部１０１が設けられ、カメラ本体１００の背面側にはビューファインダ１０２が設けられている。カメラ本体１００の上面には、電源のＯＮ／ＯＦＦと撮像動画を再生する際のモード（再生モード）を切り替えるスライド式スイッチ１０３、ズーム操作スイッチ１０４、アクセサリシュー１０５およびモード切替えスイッチ１０６等が設けられている。
【００１４】
また、カメラ本体１００の右側面には、表示ユニット１０７が開閉可能に支持されている。さらにカメラ本体１００における外観に露出する部分には、マイク１０８，１０９、操作リング１１０、レンズフード取付部材１１１、装飾部１１２、レンズ仕様表記部材１１３、フォーカスユニットの窓部１１４および外装部材１１５が配置されている。マイク１０８，１０９は、カメラ本体１００の上面における操作リング１１０の近傍に配置されている。
【００１５】
［レンズ鏡筒の構成］
図２（ａ）〜（ｃ）および図３は、上記カメラにおけるレンズ鏡筒２００の構成を示している。なお、レンズ鏡筒２００は、撮像装置に一体に設けられてもよいし、カメラに対して取り外し可能な交換レンズ（光学機器）として構成されてもよい。
【００１６】
図２（ａ）はレンズ鏡筒２００を正面側斜めから見て示している。図２（ｂ）はレンズ鏡筒２００を正面側から見て示している。図２（ｃ）はレンズ鏡筒２００の右側面を示している。図３は、図２（ｂ）におけるＡ−Ａ線での断面であって矢印方向から見た断面を示す。
【００１７】
レンズ鏡筒２００の固定鏡筒３００内には、撮像光学系が配置されている。図３中の一点鎖線は撮像光学系の光軸Ｏを示し、以下の説明において光軸Ｏが延びる方向を光軸方向という。撮像光学系は、前側から順に配置された第１レンズ群Ｌ１、第２（変倍）レンズ群Ｌ２、第３ａレンズ群Ｌ３ａ、第３ｂ（防振）レンズＬ３ｂ、第４（フォーカス）レンズ群Ｌ４および第５レンズ群Ｌ５により構成されている。第２レンズ群Ｌ２と第３ａレンズ群Ｌ３ａとの間には絞りユニット６が配置されている。第５レンズ群Ｌ５の背面側には撮像素子７が配置されている。
【００１８】
変倍レンズ群Ｌ２を含む２群ユニット３０１は、ズーム操作スイッチ１０４の操作に応じた不図示の２群アクチュエータ（ステッピングモータ等）による駆動によって光軸方向に移動する。また、第３ａレンズ群Ｌ３ａおよび防振レンズ群Ｌ３ｂを含む３群ユニット３０２も、ズーム操作スイッチ１０４の操作に応じた不図示の３群アクチュエータ（ステッピングモータ等）の駆動によって光軸方向に移動する。防振レンズ群Ｌ３ｂを含む防振ユニットは、詳しくは後述するが、不図示のマイクロコンピュータによる防振制御に応じたシフトアクチュエータ（ボイスコイルモータ等）の駆動によって光軸方向に直交する面内でシフトする。フォーカスレンズ群Ｌ４を含む４群ユニット３０３は、マイクロコンピュータによるＡＦ制御に応じた不図示のフォーカスアクチュエータ（ボイスコイルモータ等）の駆動により光軸方向に移動する。
【００１９】
［３群ユニット３０２の構成］
図４は、３群ユニット（光学ユニット）３０２の構成を示している。３群ユニット３０２は、３群ベースユニット４０１と、上述した防振ユニット４０２と、３つの偏心コロ４０３とを有する。防振ユニット４０２は、光軸回り方向（光軸Ｏを中心とする周方向）において１２０度間隔で配置された３つの偏心コロ４０３を介して３群ベースユニット４０１により保持されている。偏心コロ４０３は３群ベースユニット４０１に回転可能にビス４０５により取り付けられている。偏心コロ４０３を回転させることで、防振ユニット４０２の３群ベースユニット４０１に対する傾き位置調整（光学調整）を行うことができる。偏心コロ４０３を含む光学調整機構については後述する。
【００２０】
［３群ベースユニット４０１の構成］
図５は、３群ベースユニット４０１の構成を示している。３群ベースユニット４０１は、第３ａレンズ群Ｌ３ａを保持する３群保持鏡筒５０１と、上述した３群アクチュエータとしてのモータにより回転駆動されるリードスクリューの回転を光軸方向への駆動力に変換する３群ラック５０２とを有する。３群保持鏡筒５０１は、光軸方向に延びて固定鏡筒３００により保持された不図示の２本のガイドバーに係合しており、これら２本のガイドバーによって光軸方向にガイドされる。３群保持鏡筒５０１は、防振ユニット４０２（後述するシフトベース７０１）に対するベース部材となる。
【００２１】
また、３群保持鏡筒５０１の左側面には、３群ユニット３０２の光軸方向での位置検出を行うための光学スケールである３群センサスケールが取り付けられている。固定鏡筒３００に固定された３群センサは、検出光を発して３群センサスケール５０３の反射パターンで反射した光を受光してパルス信号を出力する。このパルス信号をカウントすることで３群ユニット３０２の光軸方向での位置を検出することができる。
【００２２】
さらに、３群保持鏡筒５０１には、光軸方向に貫通する３つの貫通穴部（これについては後述する）が形成されており、これら貫通穴部内には後に詳しく説明する閉塞リング板５０４が配置される。
【００２３】
［防振ユニット４０２の構成］
図６は、防振ユニット４０２の構成を示している。本実施例のカメラは、手振れ等のカメラ振れを検出するジャイロセンサ等の振れセンサ（図示せず）を備えている。マイクロコンピュータは、振れセンサからの振れ信号に基づいてカメラ振れによる像振れをキャンセルする方向に防振レンズＬ３ｂをシフトさせるようシフトアクチュエータを制御する。防振ユニット４０２は、固定ユニットと該固定ユニットに対してシフトする可動ユニットとにより構成されている。
【００２４】
［固定ユニットの構成］
図７および図８（ａ），（ｂ）を用いて防振ユニット４０２のうち固定ユニット７００の構成を説明する。これらの図において、シフトベース７０１は固定ユニット７００の他の構成要素および可動ユニットを保持する。シフトベース７０１は、可動ユニット（防振レンズ群Ｌ３ｂ）を保持するレンズ保持部材に相当する。
【００２５】
シフトベース７０１の背面には、可動ユニットを光軸方向に直交する方向の１つである横（ヨー）方向にシフト駆動するヨーシフトアクチュエータの一部を構成する一対のマグネット７０２が固定されている。また、シフトベース７０１の背面には、可動ユニットを光軸方向に直交する方向の他の１つである縦（ピッチ）方向にシフト駆動するピッチアクチュエータの一部を構成する一対のマグネット７０３が固定されている。一対のマグネット７０２は互いにＳ極とＮ極が逆になるように配置される。一対のマグネット７０３についても同様である。
【００２６】
シフトベース７０１の前面には、マグネット７０２から発生する磁束の磁路を閉じる鉄製の部材であるヨーク７０４と、マグネット７０３から発生する磁束の磁路を閉じる鉄製の部材であるヨーク７０５とが固定されている。
【００２７】
シフトベース７０１の中央部には、光軸方向に貫通する８角形の開口部７０７が形成されている。可動ユニットは、開口部７０７の内側において機械的にシフト可能範囲が制限される。開口部７０７の上下左右の各辺の中央は、可動ユニットのシフト中心を定める際の機械端として用いられる。
【００２８】
また、シフトベース７０１の背面には、３つのボール７０６のそれぞれを転動可能に保持するための３箇所のボール保持凹部７０８が形成されている。３つのボール７０６は、ボール保持凹部７０８の前端面（底面）と可動ユニットの後述するシフト鏡筒８０１との間で挟持された状態で転動することで可動ユニットを固定ユニット７００に対してヨー方向およびピッチ方向にガイドする。さらに、シフトベース７０１の前面には、図８（ｂ）に示すように、可動ユニットとの間に組み込まれるばねを掛けるための３箇所のばね掛け部７０９が設けられている。
【００２９】
［可動ユニットの構成］
図９（ａ），（ｂ）には、防振ユニット４０２のうち可動ユニット８００の構成を示している。可動ユニット８００において、シフト部材としてのシフト鏡筒８０１は、可動ユニット８００の他の構成要素を保持する樹脂モールド部材である。シフト鏡筒８０１の前面には、上述したヨーシフトアクチュエータの一部を構成するコイル８０２と、ピッチシフトアクチュエータの一部を構成するコイル８０３とが固定されている。コイル８０２、コイル８０３および２つの磁気センサ（ホール素子）８１２は、シフトフレキシブル配線板（以下、シフトＦＰＣという）８０４を介してマイクロコンピュータに接続される。シフトＦＰＣ８０４はシフト鏡筒８０１の背面に固定され、その一部はシフト鏡筒８０１に設けられたガイド部８０５によってガイドされる。
【００３０】
図９（ｂ）に示すように、シフト鏡筒８０１の前面には、３つのボール７０６を転動可能に受ける３箇所のボール受け面８０６が形成されている。また、シフト鏡筒８０１の前面には、コイル８０２を接着により固定するための３箇所のコイル接着部８０７と、コイル８０３を接着により固定するための３箇所のコイル接着部８０８とが形成されている。
【００３１】
さらに、シフト鏡筒８０１の中央部には、防振レンズＬ３ｂをシフト鏡筒８０１に固定するためのレンズ保持部８０９が形成されている。レンズ保持部８０９の周囲には、シフトベース７０１の開口部７０７の内面に当接して可動ユニット８００のシフト可能範囲を機械的に制限する当接部８１０が形成されている。
【００３２】
シフト鏡筒８０１には、固定ユニット７００との間に組み込まれる前述したばねを掛けるための３箇所のばね掛け部８１１が設けられている。
【００３３】
２つの磁気センサ８１２は、コイル８０２およびコイル８０３の内側に配置されている。これら磁気センサ８１２は、可動ユニット８００のヨー方向およびピッチ方向へのシフトに伴うそれぞれに対向するマグネット７０２，７０３の移動による磁界の変化に応じたヨー位置信号およびピッチ位置信号を出力する。マイクロコンピュータは、これらヨー位置信号とピッチ位置信号から可動ユニット８００のヨー方向およびピッチ方向の位置を取得し、可動ユニット８００が目標位置にシフトするようにコイル８０２，８０３の通電をフィードバック制御する。
【００３４】
このように構成された可動ユニット８００は、図１０に示すように固定ユニット７００に対して組み付けられる。まず、可動ユニット８００のボール受け面８０６と固定ユニット７００のボール保持凹部７０８との間に３つのボール７０６が配置される。
【００３５】
次に、可動ユニット８００側の３つのばね掛け部８１１と固定ユニット７００側の３つのばね掛け部７０９との間に３つの引張りばね９０１が掛けられる。３つの引張りばね９０１は、可動ユニット８００を固定ユニット７００に対して光軸方向において引き寄せる付勢力を発生する。可動ユニット８００は、３つのボール７０６に当接することで固定ユニット７００に対する光軸方向の位置を決められる。また、３つの引張りばね９０１は、可動ユニット８００が固定ユニット７００に対してシフト中心からヨー方向およびピッチ方向にシフトしたときに、該可動ユニット８００をシフト中心に戻す付勢力も発生する。これにより、シフトアクチュエータによるシフト駆動が行われない場合には、可動ユニット８００（防振レンズ群Ｌ３ｂ）は、シフト中心に保持される。
【００３６】
固定ユニット７００のシフトベース７０１には、シフトＦＰＣ８０４とともに可動ユニット８００を押さえるための金属製の押さえ板９０２が２つのビス９０３により固定される。また、押さえ板９０２には、シフトＦＰＣ８０４の一部がビス９０４により固定される。押さえ板９０２は、カメラに対して光軸方向に大きな衝撃が加わった際に固定ユニット７００に対して可動ユニット８００が後方に移動することを防ぐ役割を有する。
【００３７】
［防振ユニット４０２の光学調整］
図１１（ａ），（ｂ）を用いて、前述した偏心コロ４０３を含む光学調整機構について説明する。図１１（ａ）は上面側から見た３群ユニット３０２を示しており、図１１（ｂ）は図１１（ａ）中のＢ−Ｂ線で切断した偏心コロ４０３を拡大して示している。
【００３８】
偏心コロ４０３は、ビス４０５が貫通するビス穴部４０３１を有し、該ビス穴部４０３１に挿入されたビス４０５によって３群ベースユニット４０１の３群保持鏡筒５０１に回転可能に取り付けられる。偏心コロ４０３は、該偏心コロ４０３の回転中心軸Ａと同軸に形成された円筒部４０３２，４０３３と、回転中心軸Ａに対して距離Ｘだけ偏心した偏心円筒部４０３４とを有する。
【００３９】
円筒部４０３２は３群ベースユニット４０１の３群保持鏡筒５０１に形成された円筒凹部５０１１に対して径嵌合する。また、円筒部４０３３は防振ユニット４０２における固定ユニット７００のシフトベース７０１に形成された第１の凹部７０１１に対して図１１（ｂ）の断面（光軸方向に直交する面）内の方向にて嵌合する。さらに、偏心円筒部４０３４は、シフトベース７０１に形成された第２の凹部７０１２に対して光軸方向にて嵌合する。
【００４０】
図１２（ａ），（ｂ）および図１３を用いて、上記光学調整機構による防振ユニット４０２の３群ベースユニット４０１に対する光学調整について説明する。図１２（ａ）は、光学調整を行う前に途中まで組み立てたレンズ鏡筒を前側から見て示している。図１２（ｂ）は、図１２（ａ）におけるＣ−Ｃ線での断面を、図１３は図１２（ａ）中のＤ−Ｄ線での断面の一部を拡大して示している。
【００４１】
図１２（ｂ）に示すように、固定鏡筒３００における偏心コロ４０３に対向する位置には、光学調整において偏心コロ４０３を回転操作する調整工具（ドライバー等）を挿入するための調整用穴部１２０１が形成されている。
【００４２】
図１２（ａ），（ｂ）において偏心コロ４０３を調整用穴部１２０１を通して固定鏡筒３００内に挿入した調整工具を偏心コロ４０３の頭部に形成された係合部４０３５に係合させ、調整工具を回転させることで偏心コロ４０３を回転させる。偏心コロ４０３の偏心円筒部４０３４とシフトベース７０１の第２の凹部７０１２との光軸方向での嵌合によって、３群保持鏡筒５０１（つまりは３群ベースユニット４０１）に対するシフトベース７０１（つまりは防振ユニット４０２）の傾き位置の調整ができる。３つの偏心コロ４０３を回転させてこのような傾き調整を行うことで、最終的に所望の光学特性が得られるように３群ベースユニット４０１に対する防振ユニット４０２の光学調整を行うことができる。
【００４３】
なお、偏心円筒部４０３４をシフトベース７０１に光軸方向に直交する方向にて嵌合するように構成すれば、防振ユニット４０２の３群ベースユニット４０１に対する偏心位置を調整することもできる。
【００４４】
このように光学調整が完了すると、防振ユニット４０２を３群ベースユニット４０１に対して接着により固定する。図１２（ａ）に示すように、３群保持鏡筒５０１の光軸Ｏの周囲３箇所には、光学調整後の防振ユニット４０２を３群ベースユニット４０１に対して接着するための接着部１２０２が設けられている。
【００４５】
図１３に示すように、各接着部は、３群保持鏡筒５０１に光軸方向に貫通するように形成された貫通穴部５０１２と、シフトベース７０１に光軸方向に延びるように形成され、貫通穴部５０１２内に後側（一方の側）から挿入される凸部７０１３とを有する。貫通穴部５０１２は、前側の大径貫通穴部５０１２ａとこれに連通する後側の小径貫通部５０１２ｂとにより構成されており、大径貫通穴部５０１２ａ内には閉塞部材としての閉塞リング板５０４が配置されている。閉塞リング板５０４は、金属や樹脂により形成される。
【００４６】
閉塞リング板５０４は、大径貫通穴部５０１２ａに小径貫通穴部５０１２ｂとの径差によって形成される後端面（底面）５０１２ｃに当接する。閉塞リング板５０４の中央には円形穴部５０４ａが形成されており、その円形穴部５０４ａに凸部７０１３が挿入される。これにより、閉塞リング板５０４は、大径貫通穴部５０１２ａの後側における凸部７０１３の周囲の開口５０１２ｄを塞ぐように配置される。
【００４７】
ここで、それぞれ開口５０１２ｄに沿った開口面内方向での寸法である閉塞リング板５０４の円形穴部５０４ａの内径（内形寸法）は凸部７０１３の外径（外形寸法）より所定量だけ大きい。このため、閉塞リング板５０４は開口５０１２ｄを完全に塞ぐものではない。ここにいう「開口５０１２ｄを塞ぐ」とは、後述するように大径貫通穴部５０１２ａ内に接着剤が充填された際に粘性を有する接着剤が流れ出る（漏出する）ことが防げる程度に塞ぐという意味である。
【００４８】
このように閉塞リング板５０４の円形穴部５０４ａの内径を凸部７０１３の外径より大きく設定することで以下のメリットがある。第１に、閉塞リング板５０４をその円形穴部５０４ａに凸部７０１３を挿入しながら大径貫通穴部５０１２ａ内に配置する際に、閉塞リング板５０４が凸部７０１３に引っ掛かって大径貫通穴部５０１２ａ内で斜めに配置されることを防ぐことができる。大径貫通穴部５０１２ａ内で斜めになった閉塞リング板５０４が大径貫通穴部５０１２ａの後端面５０１２ｃに当接しないと、接着剤の大径貫通穴部５０１２ａからの漏出を防ぐことができなくなる。
【００４９】
第２に、閉塞リング板５０４を大径貫通穴部５０１２ａの後端面５０１２ｃに当接させたまま、３群保持鏡筒５０１に対する凸部７０１３（つまりはシフトベース７０１）の傾く方向（矢印Ｃ方向）への動きや光軸方向（矢印Ｄ方向）の動きが許容される。このため、閉塞リング板５０４の円形穴部５０４ａの内径と凸部７０１３の外径との差である所定量は、このような凸部７０１３の動きを許容しつつ上述したように接着剤の漏出を防ぐことができる最小の値とすることが望ましい。
【００５０】
また、開口面内方向において閉塞リング板５０４の外径（外形寸法）は、大径貫通穴部５０１２ａの内径（内形寸法）より小さい。これにより、３群保持鏡筒５０１に対して凸部７０１３が開口面内方向（矢印Ｅ方向）に動くと、閉塞リング板５０４も開口面内方向に動くことができる。このように、３群保持鏡筒５０１に対して凸部７０１３が光学調整において様々な方向に動いても、閉塞リング板５０４によって大径貫通穴部５０１２ａにおける凸部７０１３の周囲の開口５０１２ｄを接着剤の漏出を防止できるように塞ぐことができる。
【００５１】
なお、本実施例では、閉塞リング板５０４は円環形状を有するが、外形を矩形としたり円形穴部５０４ａに代えて矩形穴部を設けたりする等、その形状には限定はない。また、閉塞リング板５０４を、光学調整が完了した後に大径貫通穴部５０１２ａ内に配置してもよい。
【００５２】
大径貫通穴部５０１２ａ内に閉塞リング板５０４が配置され、かつ光学調整が完了した状態で、図１４に示すように、大径貫通穴部５０１２ａ内に前側から光硬化性接着剤（例えば、紫外線硬化性接着剤）１０００が充填される。接着剤１０００は、大径貫通穴部５０１２ａ内において、大径貫通穴部５０１２ａの内面と凸部７０１３と閉塞リング板５０４とに接するように配置される。前述したように閉塞リング板５０４によって大径貫通穴部５０１２ａの後側における凸部７０１３の周囲の開口５０１２ｄは塞がれているので、接着剤１０００が小径貫通穴部５０１２ｂ側（シフトベース７０１側）に漏出することはほとんどない。
【００５３】
そして、充填された接着剤１０００に対して所定の光（紫外線等）が照射されることで接着剤１０００が硬化する。これにより、光学調整後の防振ユニット４０２を３群ベースユニット４０１に対して固定することができる。
【００５４】
本実施例では、各接着部１２０２はレンズ鏡筒の外周から奥まった箇所に設けられている。しかし、光軸方向から接着剤１０００の充填と硬化のための光照射を行うことができるので、接着部１２０２に対する接着作業を容易かつ適切に行うことができる。
【００５５】
なお、閉塞リング板５０４と大径貫通穴部５０１２ａの後端面５０１２ｃとの間に接着剤１０００の一部が入り込んだ場合でもその接着剤を光照射によって硬化させることができるように、閉塞リング板５０４を透光性を有する材料で形成してもよい。
【００５６】
また、上記実施例では、３群保持鏡筒（ベース部材）５０１に貫通穴部５０１２を設け、シフトベース７０１（レンズ保持部材）７０１に凸部７０１３を設けた場合について説明したが、ベース部材に凸部を設け、レンズ保持部材に貫通穴部を設けてもよい。すなわち、ベース部材およびレンズ保持部材のうち一方が貫通穴部を有し、他方が凸部を有すればよい。
【００５７】
以上説明した各実施例は代表的な例にすぎず、本発明の実施に際しては、各実施例に対して種々の変形や変更が可能である。
【符号の説明】
【００５８】
１００  カメラ本体
２００  レンズ鏡筒
３０２  ３群ユニット
４０１  ３群ベースユニット
４０２  防振ユニット
４０３  偏心コロ
５０１  ３群保持鏡筒（ベース部材）
７００  固定ユニット
７０１  シフトベース（レンズ保持部材）
８００  可動ユニット
Ｌ３ａ  第３ａレンズ群
Ｌ３ｂ  第３ｂレンズ群（防振レンズ群）
【図１】
2018097228.tif 000003
【図２】
2018097228.tif 000004
【図３】
2018097228.tif 000005
【図４】
2018097228.tif 000006
【図５】
2018097228.tif 000007
【図６】
2018097228.tif 000008
【図７】
2018097228.tif 000009
【図８】
2018097228.tif 000010
【図９】
2018097228.tif 000011
【図１０】
2018097228.tif 000012
【図１１】
2018097228.tif 000013
【図１２】
2018097228.tif 000014
【図１３】
2018097228.tif 000015
【図１４】
2018097228.tif 000016